(57)【要約】【課題】  爪とぎとしても遊具としても利用することができ、繰り返し利用することができ、狭いスペースにも設置できる動物用爪とぎ具を提供する。【解決手段】  本考案の動物用爪とぎ具は、柱状の本体の外周に爪とぎに利用可能なカーペットが周回されたものである。カーペットは着脱自在とすることもできる。本体は多面を備えた多角柱状とすることもできる。本体には、動物の足を入れられる大きさの空洞を設けることもできる。本体は、前後方向の位置ずれを防止するための位置ずれ防止具を備えた台座に載せられるようにすることもできる。この場合、本体の長手方向両端にストッパーを設けて、本体が左右方向へずれたときに、当該ストッパーが前記台座に当接して本体が台座から落下するのが阻止されるにすることもできる。【選択図】図１
0003205120.tif 000002
【実用新案登録請求の範囲】
【請求項１】
柱状の本体の外周に爪とぎに利用可能なカーペットが周回された、
ことを特徴とする動物用爪とぎ具。
【請求項２】
請求項１記載の動物用爪とぎ具において、
カーペットが本体の外周に着脱自在に周回された、
ことを特徴とする動物用爪とぎ具。
【請求項３】
請求項１又は請求項２記載の動物用爪とぎ具において、
本体が多面を備えた多角柱状である、
ことを特徴とする動物用爪とぎ具。
【請求項４】
請求項１から請求項３のいずれか１項に記載の動物用爪とぎ具において、
本体に動物の足を入れることのできる大きさの空洞が設けられた、
ことを特徴とする動物用爪とぎ具。
【請求項５】
請求項１から請求項４のいずれか１項に記載の動物用爪とぎ具において、
本体を載せることのできる台座を備え、
前記台座は本体の前後方向の位置ずれを防止するための位置ずれ防止具を備えた、
ことを特徴とする動物用爪とぎ具。
【請求項６】
請求項５記載の動物用爪とぎ具において、
本体の長手方向両端にストッパーが設けられ、
前記ストッパーが台座の外側に位置するように本体を台座に載せることによって、本体が左右方向へずれたときに、当該ストッパーが前記台座に当接して本体が台座から落下するのが阻止される、
ことを特徴とする動物用爪とぎ具。
【考案の詳細な説明】
【技術分野】
【０００１】
本考案は、動物が爪とぎ具として利用するほか、遊具としても利用することのできる動物用爪とぎ具に関する。
【背景技術】
【０００２】
猫には爪をとぐ習性がある。一般家庭で飼われている猫は、家の柱や壁などを利用して爪をとぐため、柱や壁などが傷付く。この問題を解決するため、様々な猫用の爪とぎ具（例えば、特許文献１、２）が提案されている。特許文献１の爪とぎ具は、猫が立ち上がった状態で爪をとぐことのできるもの、特許文献２の爪とぎ具は、表面部分を爪が食い込む程度の硬さにした柱状のものである。また、猫は高所に上って遊ぶことを好むことから、遊具の柱に麻紐を周回させて爪とぎ具としたもの（特許文献３）なども提案されている。
【先行技術文献】
【特許文献】
【０００３】
【特許文献１】実用新案登録第３１８７３１５号公報
【特許文献２】実用新案登録第３１２８９４１号公報
【特許文献３】特開２０１２−１１５１４９号公報
【考案の概要】
【考案が解決しようとする課題】
【０００４】
前記特許文献１記載の爪とぎ具は、壁部材が薄いことから、猫が爪をとぐ際に支えがないと倒れやすく、壁のない場所での使用には適さない。前記特許文献２記載の爪とぎ具は、猫の爪が引っ掛かりやすいように爪とぎ面に溝が形成されているが、溝が欠損した場合には爪とぎ具自体を交換しなければならない。前記特許文献３の遊具は、設置するためにある程度の広さのスペースが必要であり、狭小家庭では使用できないことがある。
【課題を解決するための手段】
【０００５】
本考案の動物用爪とぎ具は、柱状の本体の外周に爪とぎに利用可能なカーペットを着脱自在に周回して、繰り返し利用できるようにしたものである。
【考案の効果】
【０００６】
本考案の動物用爪とぎ具は、次の効果がある。
（１）横置きすることができるため、支えがない場所でも使用することができる。
（２）柱や壁などで直接爪をとぐことがないため、動物が爪を傷めにくいうえ、柱や壁を使用する場合のような削り屑も発生し難い。削り屑が発生し難いため、掃除の手間も省ける。
（３）本体の外周に着脱式のカーペットを設けてあるため、カーペットを取り替えるだけで、新規の爪とぎ具として使用することができる。
（４）カーペットを取り替えるだけで、新規の爪とぎ具として使用でき、新規の爪とぎ具に買い替える必要がないため経済的である。
（５）本体を多角柱状とした場合、その向きを変えるだけで、新たな面を新規の爪とぎとして使用することができる。
（６）遊具ほどの高さはないが、上って遊ぶこともできるため、高所に上って遊ぶ習性を有する猫などが遊具として使用することもできる。
（７）従来の遊具に比べてコンパクトで場所をとらないため、スペースが限られた家庭でも使用することができる。
（８）カーペットを使用しているため、専用の爪とぎ具に比べてデザイン性が高く、インテリアとしても見栄えが良い。
【図面の簡単な説明】
【０００７】
【図１】本考案の動物用爪とぎ具の一例を示す斜視図。
【図２】動物用爪とぎ具の本体に形成した空洞の説明図。
【図３】本体を台座に載せる前後の状況を示す説明図。
【図４】カーペットを取外した状態を示す説明図。
【図５】本考案の動物用爪とぎ具の使用例の説明図であって、（ａ）は猫が動物用爪とぎ具の上に載って爪をといでいる状態を示すもの、（ｂ）は猫が動物用爪とぎ具に前足を掛けて遊んでいる状態を示すもの。
【考案を実施するための形態】
【０００８】
（実施形態）
本考案の動物用爪とぎ具１の一例を、図面を参照して説明する。一例として図１に示す動物用爪とぎ具１は、横長角柱状の本体２と、当該本体２の長手方向両端に設けられたストッパー３と、本体２の外周に周回されたカーペット４を備えたものである。図１に示す例では、間隔をあけて配置された二つの台座５上に載せてある。
【０００９】
一例として図１に示す本体２は、木材を縦１０ｃｍ×横３０ｃｍ×高さ１０ｃｍ程度の横長四角柱状に成形したものである。本体２は三角柱状や五角柱状といった四角柱以外の角柱状や、円柱状等とすることもできる。また、木材製以外のものとすることもできる。
【００１０】
前記本体２の長手方向両端側には、図２に示すような細長の空洞６が設けられ、図２に示すようなネズミの玩具Ａ等を入れられるようにしてある。空洞６は、猫などのペットが前足を入れられる程度の大きさ及び深さとしてあり、この空洞６に前足を入れて遊ぶことができる。図２の例では、空洞６を本体２の長手方向両端に一つずつ設ける場合を一例としているが、長手方向の両端又は一端に二以上の空洞６を設けることもできる。空洞６を設けることによって、動物の好奇心を刺激し、動物のストレスが解消される。図２の例では、空洞６を本体２の長手方向両端に設ける場合を一例としているが、空洞６は長手方向の一端側にのみ設けることもできる。なお、不要な場合、空洞６は設けなくてもよい。
【００１１】
前記本体２の長手方向両端に設けられたストッパー３は、木材を直径１５ｃｍ程度の円盤状に成形したものである。ストッパー３は、本体２と一体に成形することもできるが、本体２とは別に成形したものを本体に固定することもできる。図１に示すように、ストッパー３の中心には円形の開口孔７が形成され、当該開口孔７が前記空洞６と連通するようにしてある。開口孔７は必要に応じて設ければよく、本体２に空洞６がない場合など、不要な場合には設けなくてもよい。なお、ストッパー３は前記台座５に載せる場合に有効なものであるが、不要な場合には設けなくてもよい。
【００１２】
前記本体２の外周に周回されたカーペット４は、猫などのペットが爪を研ぐためのものである。この実施形態では、カーペット４として毛が抜けにくいタフト織のカーペットが周回してある。カーペット４は、破れたり毛が抜け落ちたりしにくい材質製であればタフト織以外のものを用いることもできる。カーペット４の長さは本体２の外周四面の全周を覆うことのできる長さであればよい。場合によっては、本体２の外周に二重、三重に周回できる長さとすることもできる。
【００１３】
図１に示す例では、本体２の外周に周回したカーペット４を止め具１２（図４）で固定してある。この実施形態では、止め具１２としてネジを使用する場合を一例としているが、止め具１２にはスナップボタンや面状ファスナ等を用いることもできる。いずれの場合も、図４のように止め具１２を外すことによって、カーペット４を本体２から取り外せるようにしておき、定期的に洗濯したり、別のカーペットに交換したりできるようにしておくのが好ましい。なお、この実施形態では、ネジの頭に樹脂製のネジキャップ８を取り付けて目隠し処理をしてあるが、ボンドや木材シールなどで処理することもできる。
【００１４】
前記台座５は、前記本体２を載せるためのものである。図１に示す台座５は、本体２を載せる基礎部９と、台座５に載せた本体２の前後方向（図１のＹ−Ｙ矢印方向）への位置ずれを防止する位置ずれ防止部１０を備えている。前記基礎部９は、木材を横長四角柱状に成形したものである。基礎部９の底面には、滑り止め材及び緩衝材としてゴム材１１が接着剤で固定してある。
【００１５】
図３に示すように、基礎部９の上面には間隔をあけて二つの位置ずれ防止部１０が設けられている。二つの位置ずれ防止部１０の間隔は、本体２の縦寸法（図１の例では１０ｃｍ）と同程度としてあり、両位置ずれ防止部１０の間に本体２が載るようにしてある。図１のように平均台のような構造とすることで、動物が本体２の上側の高い部分に上って遊ぶことができる。
【００１６】
一例として図１に示す位置ずれ防止部１０は、平面視略半円形の部材が多段に積み重ねられ、接着剤やネジなどによって固定されたものである。この実施形態では、複数の部材を径の大きなものから順に上に積み重ねてあるが、積み重ねる順番はこれ以外であってもよい。位置ずれ防止部１０は、台座５に載せた本体２の前後方向（図１のＹ−Ｙ矢印方向）への位置ずれを防止できれば、これ以外の構造とすることもできる。位置ずれ防止部１０をスタイリッシュな構造とすることで、見栄えがよくなる。
【００１７】
図１に示す例は、二つの台座５を用いる場合の例であり、間隔をあけて配置された二つの台座５の上に本体２を載せられるようにしてある。二つの台座５の間隔は、本体２を二つの台座５に跨るように載せたときに、本体２の長手方向両端に設けられたストッパー３が両台座５の外側に位置するような間隔としてある。このような間隔とすることで、本体２に左右方向（図１のＸ−Ｘ矢印方向）へずれても、本体２が両台座５から落ちることがなく、猫などが安全に使用することができる。
【００１８】
本考案の動物用爪とぎ具１は、図５（ａ）のように、本体２の上に載って爪をといだり、図５（ｂ）のように、本体２に前足を掛けて遊んだり、本体２の空洞６に前足を入れて遊んだりすることができる。
【産業上の利用可能性】
【００１９】
本考案の動物用爪とぎ具１は、一般家庭で飼われるペット用、具体的には、爪をとぐ習性のある猫用の爪とぎ具として特に好適に用いることができる。
【符号の説明】
【００２０】
１    動物用爪とぎ具
２    本体
３    ストッパー
４    カーペット
５    台座
６    空洞
７    開口孔
８    ネジキャップ
９    基礎部
１０  位置ずれ防止部
１１  ゴム材
１２  止め具
Ａ    玩具
【図１】
0003205120.tif 000003
【図２】
0003205120.tif 000004
【図３】
0003205120.tif 000005
【図４】
0003205120.tif 000006
【図５】
0003205120.tif 000007